(57)【要約】【課題】    支持具の両側に別々の被支持物を支持することができる支持具を提供する。【解決手段】第１支持棒と、該第１支持棒の一端を支持する支持手段と、該第１支持棒の長手方向に対してその長手方向が略垂直になるように該第１支持棒の他端に取り付けられた第２支持棒と、該第２支持棒の一端に取り付けられ、被支持物を固定する第１固定手段と、該第２支持棒の他端に取り付けられ、被支持物を固定する第２固定手段と、を備えてなる、支持具である。【選択図】  図１
0003101897.tif 000002
【実用新案登録請求の範囲】
【請求項１】
第１支持棒と、
該第１支持棒の一端を支持する支持手段と、
該第１支持棒の長手方向に対してその長手方向が略垂直になるように該第１支持棒の他端に取り付けられた第２支持棒と、
該第２支持棒の一端に取り付けられ、被支持物を固定する第１固定手段と、
該第２支持棒の他端に取り付けられ、被支持物を固定する第２固定手段と、
を備えてなる、支持具。
【請求項２】
前記第１支持棒が伸縮可能なものである、請求項１に記載の支持具。
【請求項３】
前記支持手段が、前記支持具を支持する支持面に載置される支持板又は磁石を含む磁石吸着部である、請求項１又は２に記載の支持具。
【請求項４】
前記被支持物がシート状又は板状であり、
前記第１固定手段及び前記第２固定手段の少なくとも１が、前記被支持物の外縁の異なる２以上の点を固定するものである、請求項１乃至３のいずれかに記載の支持具。
【請求項５】
前記第１固定手段及び前記第２固定手段の少なくとも１が、前記第２支持棒に取り付けられた固定棒を有しており、前記被支持物の外縁を固定する位置が該固定棒の長手方向に沿って移動可能なものである、請求項４に記載の支持具。
【請求項６】
前記固定棒の長手方向が、前記第２支持棒の長手方向に対して略垂直である、請求項５に記載の支持具。
【請求項７】
前記固定棒の長手方向に沿った直線が、前記第１支持棒の長手方向に対して垂直な平面に略平行なものである、請求項５又は６に記載の支持具。
【請求項８】
前記第１固定手段及び前記第２固定手段の少なくとも１が、前記被支持物を挟持するものである、請求項１乃至７のいずれかに記載の支持具。
【請求項９】
前記第１固定手段及び前記第２固定手段の少なくとも１が、ばねの付勢力により前記被支持物を挟持するクリップを有するものである、請求項８に記載の支持具。
【請求項１０】
前記支持手段に対して前記第１支持棒が所定の範囲内で回動可能なものである、請求項１乃至９のいずれかに記載の支持具。
【請求項１１】
前記被支持物が広告媒体である、請求項１乃至１０のいずれかに記載の支持具。
【考案の詳細な説明】
【技術分野】
【０００１】
本考案は、被支持物を支持する支持具に関し、より詳細には、両側に被支持物を支持することができる支持具に関する。
【背景技術】
【０００２】
被支持物（支持される物）を支持するために様々な支持具が用いられてきた。
例えば、スーパーマーケット、デパート、個人商店等のような商品を販売する店舗において、商品の価格や品名等を表示したシート状や板状の広告媒体（被支持物）を顧客にわかりやすく配置するために、広告媒体を支持する支持具が多用されてきた（例えば、特許文献１参照）。
【０００３】
【特許文献１】登録実用新案第３０００９７０号公報（第２図）
【考案の開示】
【考案が解決しようとする課題】
【０００４】
しかしながら、このように従来から用いられてきた支持具は、１の被支持物を支持するものであり、支持具の両側に別々の被支持物を支持するものではなかった。今日、特に、商品を販売する店舗等においては、広告媒体（被支持物）が多用される傾向にあり、１の支持具によってその支持具の両側に広告媒体（被支持物）を支持する要求が高まっている。
そこで、本考案では、支持具の両側に別々の被支持物を支持することができる支持具を提供することを目的とする。
【課題を解決するための手段】
【０００５】
本考案の支持具（以下、「本支持具」という。）は、第１支持棒と、該第１支持棒の一端を支持する支持手段と、該第１支持棒の長手方向に対してその長手方向が略垂直になるように該第１支持棒の他端に取り付けられた第２支持棒と、該第２支持棒の一端に取り付けられ、被支持物を固定する第１固定手段と、該第２支持棒の他端に取り付けられ、被支持物を固定する第２固定手段と、を備えてなる、支持具である。
【０００６】
こうすることで第２支持棒の長手方向が第１支持棒の長手方向に対して略垂直になるように第２支持棒が第１支持棒の他端に取り付けられる。そして、支持手段が、第１支持棒の一端を支持する。このとき被支持物を固定する第１固定手段と第２固定手段とがそれぞれ第２支持棒の一端と他端とに取り付けられているので、第１固定手段に第１の被支持物を固定すると共に、第２固定手段に第２の被支持物を固定すれば、本支持具の両側に別々の被支持物（第１の被支持物と第２の被支持物）を支持することができる。
【０００７】
前記第１支持棒が伸縮可能なものであってもよい。
こうすることで第１支持棒を伸縮させれば、第１固定手段と第２固定手段とを同時に位置調整することができるので、第１固定手段と第２固定手段とを別個に位置調整する場合に比して位置調整を容易に行うことができる。
とりわけ第１支持棒の長手方向が鉛直方向にほぼ向くように使用する場合（本支持具の使用方法としては最も一般的と考えられる。）であれば、第１支持棒を伸縮させることにより、第１固定手段と第２固定手段との高さを同時に調整することができ極めて便利である。
【０００８】
前記支持手段が、前記支持具を支持する支持面に載置される支持板又は磁石を含む磁石吸着部であってもよい。
支持手段を、本支持具を支持する支持面（一例としては、床面、テーブルの上面等）に載置される支持板とすれば、本支持具を設置するためには支持面に支持板が面するように本支持具を支持面に載置するのみで足りるので、本支持具の設置及び撤去を極めて容易に行うことができる。
また、支持手段を、磁石を含む磁石吸着部とすれば、本支持具を支持する支持物が磁石に吸着される性質を有している場合（このような支持物の一例としては、鋼製のテーブル・机、鋼製の柱、鋼製の車両等）、磁石の吸着力によって支持手段が支持物に確実かつ強力に固定されるので、本支持具を安定した状態で設置することができると共に本支持具の設置及び撤去を極めて容易に行うことができる。
【０００９】
前記被支持物がシート状又は板状であり、前記第１固定手段及び前記第２固定手段の少なくとも１が、前記被支持物の外縁の異なる２以上の点を固定するもの（以下、「外縁複数固定具」という。）であってもよい。
被支持物としては様々なものがあるが、中でも、人に対して視覚的に何らかの情報を提供しようとする場合、被支持物はシート状又は板状であることが多い。シート状又は板状の被支持物としては、種々のものがあるが、一例としては紙、布、樹脂製又は金属製の薄膜（フィルム）、厚紙、材木板、樹脂製又は金属製の板等を例示することができる。
これらのシート状又は板状の被支持物を安定して固定するには、第１固定手段及び第２固定手段が、被支持物の外縁の異なる２以上の点を固定するようにすればよい（こうすることで紙、布及び柔軟なシート等のような被支持物の強度が小さい場合でも、被支持物を広げた状態で確実に支持することができる。）。
【００１０】
外縁複数固定具の場合、前記第１固定手段及び前記第２固定手段の少なくとも１が、前記第２支持棒に取り付けられた固定棒を有しており、前記被支持物の外縁を固定する位置が該固定棒の長手方向に沿って移動可能なもの（以下、「固定棒使用具」という。）であってもよい。
こうすることで第２支持棒に取り付けられた固定棒の長手方向に沿って、被支持物の外縁を固定する位置が移動可能であるので、被支持物の大きさにあわせて被支持物の外縁を固定する位置を移動すること（様々な大きさの被支持物を広げた状態で確実に支持することができる。）や、支持される被支持物の位置を変えることができるので便利である。
【００１１】
固定棒使用具の場合、前記固定棒の長手方向が、前記第２支持棒の長手方向に対して略垂直であってもよい。
こうすることで第２支持棒の長手方向に対して被支持物が略垂直に広がる状態で被支持物を支持することができ、第１固定手段と第２固定手段とを離すための第２支持棒の長さを略最小にすることができることから、被支持物の重量等による第２支持棒の変形を小さくすると共に、本支持具の軽量化及び構成の簡素化に資することができる。
【００１２】
固定棒使用具の場合、前記固定棒の長手方向に沿った直線が、前記第１支持棒の長手方向に対して垂直な平面に略平行なものであってもよい。
こうすることで第１支持棒の長手方向が鉛直方向にほぼ向くように使用する場合（本支持具の使用方法としては最も一般的と考えられる。）であれば、固定棒の長手方向が略水平方向に向くので、被支持物を略水平な固定棒に沿って支持することができる（被支持物を真っ直ぐな状態で支持することができる。）。
【００１３】
前記第１固定手段及び前記第２固定手段の少なくとも１が、前記被支持物を挟持するもの（以下、「挟持本支持具」という。）であってもよい。こうすることで被支持物が支持される際、被支持物を損傷させることがないか又は極めて少なくなるので好ましい。
そして挟持本支持具の場合、前記第１固定手段及び前記第２固定手段の少なくとも１が、ばねの付勢力により前記被支持物を挟持するクリップを有するものであってもよい。こうすることで被支持具をクリップに挟持させたり、クリップに挟持された被支持具をクリップから取り外すことを、極めて簡単・迅速かつ確実に行うことができる。そして、クリップに挟持された被支持具も、ばねの付勢力によっていつも挟持された状態が保たれる。
【００１４】
前記支持手段に対して前記第１支持棒が所定の範囲内で回動可能なものであってもよい。
こうすることで第１支持棒の一端を中心として所定の範囲内で第１支持棒を回動させることができるので、第１固定手段と第２固定手段との位置を様々に変化させることができる。
【００１５】
前記被支持物が広告媒体であってもよい。
前述のように、商品を販売する店舗等においては、チラシ、ビラ、ポスター等のような広告媒体が多用される傾向にあり、１の支持具によってその支持具の両側に広告媒体を支持する要求が高まっていることから、本支持具によって広告媒体を支持させることが好ましい。
【考案を実施するための最良の形態】
【００１６】
本考案の実施の形態を図面を参照して詳述するが、本考案はこれに限定されるものではない。
【００１７】
図１は、一例の本考案の支持具（本支持具）１１を示す斜視図（正面側やや上方から見たところを示している。）であり、図２は本支持具１１を示す平面図（図１中、矢印Ａ方向から見たところを示している。）であり、図３は本支持具１１を示す正面図（図２中の矢印Ｂ方向から、また図１中手前側から見たところを示している。）である。図１乃至図３を参照して、本支持具１１について説明する。
なお、ここでは本支持具１１は水平なテーブル上面（図示せず。本考案にいう支持面を形成する。）に載置されている。
【００１８】
本支持具１１は、水平なテーブル上面（図示せず。本考案にいう支持面）に載置される支持板１３（支持手段。鋼板製）と、支持板１３の略正方形（角は丸められている）の主表面の略真ん中（該略正方形の対角線の交点）に一端（ここでは下端）が取り付けられた第１支持棒１５と、第１支持棒１５の他端（ここでは上端）に取り付けられた第２支持棒１７と、第２支持棒１７の一端に取り付けられた第１固定棒２３と、第１固定棒２３に取り付けられたクリップ２５ａ、２５ｂと、第２支持棒１７の他端に取り付けられた第２固定棒３３と、第２固定棒３３に取り付けられたクリップ３５ａ、３５ｂと、を備えている。
【００１９】
第１支持棒１５は、直線に沿った真っ直ぐな中空のパイプから構成された主支持棒１５ａと、主支持棒１５ａの内部に遊嵌された副支持棒１５ｂ（真っ直ぐな棒状部材）と、主支持棒１５ａに対する副支持棒１５ｂのスライドを禁止及び許可する係止具１５ｃ（具体的には、レバー１５ｃａを回動させることで、スライドを禁止する状態（副支持棒１５ｂを締め付けた状態）と許可する状態（副支持棒１５ｂへの締め付けを解いた状態）とを変えることができる。）と、を有してなる。
このためレバー１５ｃａを回動させスライドを許可する状態にすれば、主支持棒１５ａに対して副支持棒１５ｂを自由にスライドさせることができ、主支持棒１５ａに対する副支持棒１５ｂの位置を所望位置に合わせた後、レバー１５ｃａを回動させスライドを禁止する状態にすることで、第１支持棒１５を自由に伸縮させることができる。
そして、ここでは第１支持棒１５は、第１支持棒１５の長手方向（図１及び図３中、矢印Ｃ方向）が支持板１３の主表面に対して略垂直になるように支持板１３に取り付けられている。
【００２０】
第２支持棒１７は、直線に沿った真っ直ぐな棒状部材（鋼材製）から構成されており、その長手方向（図１乃至図３中、矢印Ｄ方向）に沿った略中心部分が第１支持棒１５の他端（ここでは上端）に溶接により取り付けられている。
そして、第２支持棒１７の長手方向（図１乃至図３中、矢印Ｄ方向）は、第１支持棒１５の長手方向（図１及び図３中、矢印Ｃ方向）に対して略垂直になるようにされている。
【００２１】
第１固定棒２３は、直線に沿った真っ直ぐな棒状部材（鋼材製）から構成されており、その長手方向（図１及び図２中、矢印Ｅ方向）に沿った略中心部分が第２支持棒１７の一端に溶接により取り付けられている。
そして、第１固定棒２３の長手方向（図１及び図２中、矢印Ｅ方向）は、第２支持棒１７の長手方向（図１乃至図３中、矢印Ｄ方向）に対して略垂直である。さらに、第１固定棒２３の長手方向（図１及び図２中、矢印Ｅ方向）に沿った直線（図１及び図２中、矢印Ｅを含む直線）が、第１支持棒１５の長手方向（図１及び図３中、矢印Ｃ方向）に対して垂直な平面（ここでは略水平面）に略平行である。
【００２２】
第１固定棒２３にはクリップ２５ａ、２５ｂが取り付けられている。クリップ２５ａ、２５ｂは、いずれもばねの付勢力により被支持物たるビラ（広告媒体）を挟持するものであり、第１固定棒２３の長手方向（図１及び図２中、矢印Ｅ方向）に沿って所定範囲内で移動することができる。なお、クリップ２５ａ、２５ｂが、第１固定棒２３の端部から脱落しないように第１固定棒２３の両端部にはストッパー２７ａ、２７ｂが取り付けられている。
【００２３】
第２固定棒３３は、直線に沿った真っ直ぐな棒状部材（鋼材製）から構成されており、その長手方向（図１及び図２中、矢印Ｆ方向）に沿った略中心部分が第２支持棒１７の他端に溶接により取り付けられている。
そして、第２固定棒３３の長手方向（図１及び図２中、矢印Ｆ方向）は、第２支持棒１７の長手方向（図１乃至図３中、矢印Ｄ方向）に対して略垂直である。さらに、第２固定棒３３の長手方向（図１及び図２中、矢印Ｆ方向）に沿った直線（図１及び図２中、矢印Ｆを含む直線）が、第１支持棒１５の長手方向（図１及び図３中、矢印Ｃ方向）に対して垂直な平面（ここでは略水平面）に略平行である。このため第１固定棒２３の長手方向（図１及び図２中、矢印Ｅ方向）と第２固定棒３３の長手方向（図１及び図２中、矢印Ｆ方向）とは、互いに略平行になっている。
【００２４】
第２固定棒３３にはクリップ３５ａ、３５ｂが取り付けられている。クリップ３５ａ、３５ｂは、いずれもばねの付勢力により被支持物たるビラ（広告媒体）を挟持するものであり、第２固定棒３３の長手方向（図１及び図２中、矢印Ｆ方向）に沿って所定範囲内で移動することができる。なお、クリップ３５ａ、３５ｂが、第２固定棒３３の端部から脱落しないように第２固定棒３３の両端部にはストッパー３７ａ、３７ｂが取り付けられている。
【００２５】
図４は、本支持具１１の使用方法を示す正面図（図３と同じ位置から見たものである。）である。図４を参照して、本支持具１１の使用方法を簡単に説明する。
（１）水平なテーブル上面４１（支持面）に支持板１３の下面が面するように本支持具１１（支持板１３）をテーブル上面４１に載置する。
（２）レバー１５ｃａを回動させスライドを許可する状態にした後、主支持棒１５ａに対して副支持棒１５ｂをスライドさせて第１支持棒１５の長さを調節し、再びレバー１５ｃａを回動させスライドを禁止する状態にする。
（３）クリップ２５ａ、２５ｂにビラ５１（広告媒体）の上縁を挟持させると共に、クリップ３５ａ、３５ｂにビラ５３（広告媒体）の上縁を挟持させる。このときクリップ２５ａ、２５ｂを第１固定棒２３の長手方向（図１及び図２中、矢印Ｅ方向）に適宜移動させたり、クリップ３５ａ、３５ｂを第２固定棒３３の長手方向（図１及び図２中、矢印Ｆ方向）に適宜移動させてもよい。
以上のようにして、ビラ５１、５３（広告媒体）を本支持具１１によって支持させることができる。なお、ここではビラ５１、５３（広告媒体）のいずれも、主表面が略長方形をしており、該略長方形の一短辺が上縁（略水平）になるようにビラ５１、５３（広告媒体）を本支持具１１によって支持させている（ビラ５１の該一短辺の２カ所をクリップ２５ａ、２５ｂが挟持し、ビラ５３の該一短辺の２カ所をクリップ３５ａ、３５ｂが挟持している。）。
また、上記の（２）は、（１）と（３）との間に行う必要は必ずしもなく、（１）と（３）を行った後に実施してもよい。
【００２６】
図５は、他の一例の本考案の支持具（本支持具）８１を示す正面図（前述の本支持具１１を示した図３と同じ位置から見たものである。）である。図５を参照して、他の本支持具８１について説明する。
他の本支持具８１は、前述の本支持具１１に比して、支持板１３の代わりに磁石支持部６１を設けた点が異なるのみであり、その他は全く同じであるので、磁石支持部６１についてのみ説明し、それ以外の説明は省略する。なお、前述の本支持具１１と同じ要素については、図５中、同じ参照番号を付している。
なお、ここでは本支持具８１は、鋼製のテーブル上面７１に載置されている。
【００２７】
磁石支持部６１は、略直方体形状をした磁石吸着部６３（支持手段）と、磁石吸着部６３の上面に取り付けられた回動部６５と、を有してなる。
磁石吸着部６３は、略直方体形状の永久磁石６３ａと、その下面を除いて取り囲む樹脂製のカバー６３ｂとを有しており、永久磁石６３ａによって鋼製のテーブル上面７１に強力に吸着されている。
一方、回動部６５は、カバー６３ｂの上面に取り付けられた一方側６５ａと、リベット６５ｂを中心に回動自在に一方側６５ａに取り付けられた他方側６５ｃと、を有している。そして、他方側６５ｃには、第１支持棒１５の一端（ここでは下端）が取り付けられている。この回動部６５によって、磁石吸着部６３（支持手段）に対して第１支持棒１５が所定の範囲内で回動可能とされている（第１支持棒１５にある程度強い力を加えないと回動しないようにされることで、第１支持棒１５の不意の回動を防止している。）。
【００２８】
なお、本支持具８１の使用方法は、本支持具１１の使用方法と同様であるが、簡単に説明すれば次の如きである。
（１）鋼製のテーブル上面７１に磁石吸着部６３（永久磁石６３ａ）を吸着させる。
（２）磁石吸着部６３（支持手段）に対して第１支持棒１５を所望位置に回動させる。
（３）レバー１５ｃａを回動させスライドを許可する状態にした後、主支持棒１５ａに対して副支持棒１５ｂをスライドさせて第１支持棒１５の長さを調節し、再びレバー１５ｃａを回動させスライドを禁止する状態にする。
（４）クリップ２５ａ、２５ｂにビラ５１（広告媒体）の上縁を挟持させると共に、クリップ３５ａ、３５ｂにビラ５３（広告媒体）の上縁を挟持させる。このときクリップ２５ａ、２５ｂを第１固定棒２３の長手方向に適宜移動させたり、クリップ３５ａ、３５ｂを第２固定棒３３の長手方向に適宜移動させてもよい。
以上のようにして、ビラ５１、５３（広告媒体）を本支持具８１によって支持させることができる。なお、上記の（２）及び（３）は、（１）と（４）との間に行う必要は必ずしもなく、（１）と（４）を行った後に実施してもよい。
【００２９】
以上説明したように、本支持具１１、８１は、第１支持棒１５と、第１支持棒１５の一端（ここでは下端）を支持する支持手段（本支持具１１については支持板１３が支持手段を構成し、本支持具８１については磁石吸着部６３が支持手段を構成している。）と、第１支持棒１５の長手方向（図１、図３及び図５中、矢印Ｃ方向）に対してその長手方向（図１、図３及び図５中、矢印Ｄ方向）が略垂直になるように第１支持棒１５の他端（ここでは上端）に取り付けられた第２支持棒１７と、第２支持棒１７の一端に取り付けられ、被支持物たるビラ５１（広告媒体）を固定する第１固定手段（ここでは第１固定棒２３、クリップ２５ａ、２５ｂ、ストッパー２７ａ、２７ｂによって構成されている。）と、第２支持棒１７の他端に取り付けられ、被支持物たるビラ５３（広告媒体）を固定する第２固定手段（ここでは第２固定棒３３、クリップ３５ａ、３５ｂ、ストッパー３７ａ、３７ｂによって構成されている。）と、を備えてなる、支持具である。
【００３０】
そして、本支持具１１、８１のいずれにおいても、第１支持棒１５が伸縮可能なものである。
また、本支持具１１においては、支持手段が、支持具１１を支持する支持面（水平なテーブル上面４１）に載置される支持板１３であり、本支持具８１においては、支持手段が、磁石（永久磁石６３ａ）を含む磁石吸着部６３である。
【００３１】
ここでは本支持具１１、８１のいずれにおいても、被支持物たるビラ５１、５３（広告媒体）がシート状であり、第１固定手段及び第２固定手段の両方が、被支持物たるビラ５１、５３（広告媒体）の外縁（ここでは上縁）の異なる２点を固定する。
また、本支持具１１、８１のいずれにおいても、第１固定手段及び第２固定手段の両方が、第２支持棒１７に取り付けられた固定棒２３、３３を有しており、被支持物たるビラ５１、５３（広告媒体）の外縁（ここでは上縁）を固定する位置が固定棒２３、３３の長手方向（図１及び図２中、矢印Ｅ方向及び矢印Ｆ方向）に沿って移動可能なものである（クリップ２５ａ、２５ｂは、第１固定棒２３の長手方向（図１及び図２中、矢印Ｅ方向）に沿って所定範囲内で移動することができ、クリップ３５ａ、３５ｂは、第２固定棒３３の長手方向（図１及び図２中、矢印Ｆ方向）に沿って所定範囲内で移動することができる。）。
【００３２】
さらに、本支持具１１、８１のいずれにおいても、第１固定棒２３の長手方向（図１及び図２中、矢印Ｅ方向）は、第２支持棒１７の長手方向（図１乃至図３中、矢印Ｄ方向）に対して略垂直であると共に、第２固定棒３３の長手方向（図１及び図２中、矢印Ｆ方向）は、第２支持棒１７の長手方向（図１乃至図３中、矢印Ｄ方向）に対して略垂直である。
また、本支持具１１、８１のいずれにおいても、第１固定棒２３の長手方向（図１及び図２中、矢印Ｅ方向）に沿った直線（図１及び図２中、矢印Ｅを含む直線）が、第１支持棒１５の長手方向（図１及び図３中、矢印Ｃ方向）に対して垂直な平面（ここでは略水平面）に略平行であると共に、第２固定棒３３の長手方向（図１及び図２中、矢印Ｆ方向）に沿った直線（図１及び図２中、矢印Ｆを含む直線）が、第１支持棒１５の長手方向（図１及び図３中、矢印Ｃ方向）に対して垂直な平面（ここでは略水平面）に略平行である。
【００３３】
本支持具１１、８１のいずれにおいても、第１固定手段（ここでは第１固定棒２３、クリップ２５ａ、２５ｂ、ストッパー２７ａ、２７ｂによって構成されている。）と、第２固定手段（ここでは第２固定棒３３、クリップ３５ａ、３５ｂ、ストッパー３７ａ、３７ｂによって構成されている。）と、の両固定手段が、ばねの付勢力により被支持物たるビラ５１、５３（広告媒体）を挟持するクリップ２５ａ、２５ｂ、３５ａ、３５ｂを有する。
そして、本支持具８１においては、支持手段たる磁石吸着部６３に対して第１支持棒１５が所定の範囲内で回動可能である。
さらに、ここでは被支持物は、広告媒体たるビラ５１、５３である。
【図面の簡単な説明】
【００３４】
【図１】一例の本考案の支持具（本支持具）を示す斜視図である。
【図２】図１に示した本支持具を示す平面図である。
【図３】図１に示した本支持具を示す正面図である。
【図４】図１に示した本支持具の使用方法を示す正面図である。
【図５】他の一例の本考案の支持具（本支持具）を示す正面図である。
【符号の説明】
【００３５】
１１            本支持具
１３            支持板
１５            第１支持棒
１５ａ          主支持棒
１５ｂ          副支持棒
１５ｃ          係止具
１５ｃａ        レバー
１７            第２支持棒
２３            第１固定棒
２５ａ、２５ｂ  クリップ
２７ａ、２７ｂ  ストッパー
３３            第２固定棒
３５ａ、３５ｂ  クリップ
３７ａ、３７ｂ  ストッパー
４１            テーブル上面
５１、５３      ビラ
６１            磁石支持部
６３            磁石吸着部
６３ａ          永久磁石
６３ｂ          カバー
６５            回動部
６５ａ          一方側
６５ｂ          リベット
６５ｃ          他方側
７１            テーブル上面（鋼製）
８１            本支持具
【図１】
0003101897.tif 000003
【図２】
0003101897.tif 000004
【図３】
0003101897.tif 000005
【図４】
0003101897.tif 000006
【図５】
0003101897.tif 000007